(57)【要約】【課題】デュエット曲の歌唱パートがより明確に区別できるようにする。また、ただ歌えるだけの装置から、楽しく歌うことができる装置へのステップアップにも寄与する。【解決手段】デュエット曲の演奏時には、各歌唱者のための歌唱パートの演奏中であることが区別可能なように演出装置２７のＬＥＤの発光状態が制御される。例えば男女デュエット曲における女１パートの場合には左右の演出装置２７の青色ＬＥＤは消灯し赤色ＬＥＤのみを点灯する（ａ）。男１パートの場合には左右の演出装置２７の青色ＬＥＤは消灯し、色ＬＥＤのみを点灯する（ｂ）。男女パートの場合は左右の演出装置２７の青色ＬＥＤと赤色ＬＥＤを共に点灯する（ｃ）。また、リクエスト曲を受け付けた際にも、演出装置２７においては、このようなデュエット曲演奏時に対応したＬＥＤが発光してアンサーバックを行う。【選択図】  図８
2004272115.tif 000002
【特許請求の範囲】
【請求項１】
操作ボタンなどのヒューマン・マシン・インタフェース（以下ＨＭＩと略記する。）部を装置本体の正面側に備えるカラオケ装置であって、
前記装置本体の正面側に設けられ、発光状態を変更可能な発光体、
デュエット曲の演奏時には、各歌唱者のための歌唱パートの演奏中であることが区別して視認可能なように、前記発光体の発光状態を制御する発光制御手段、
を備えるカラオケ装置。
【請求項２】
操作ボタンなどのヒューマン・マシン・インタフェース（以下ＨＭＩと略記する。）部を装置本体の正面側に備えると共に、リクエスト曲を受け付け、その受け付けたリクエスト曲を演奏可能なカラオケ装置であって、
前記装置本体の正面側に設けられ、発光状態を変更可能な発光体、
リクエスト曲の受け付けが完了すると、そのリクエスト曲がデュエット曲か否かを判断し、その判断結果が区別して視認可能なように、前記発光体の発光状態を制御するアンサーバック制御手段、
を備えるカラオケ装置。
【請求項３】
操作ボタンなどのヒューマン・マシン・インタフェース（以下ＨＭＩと略記する。）部を装置本体の正面側に備えると共に、リクエスト曲を受け付け、その受け付けたリクエスト曲を演奏可能なカラオケ装置であって、
前記装置本体の正面側に設けられ、発光状態を変更可能な発光体、
デュエット曲の演奏時には、各歌唱者のための歌唱パートの演奏中であることが区別して視認可能なように、前記発光体の発光状態を制御する発光制御手段、リクエスト曲の受け付けが完了すると、そのリクエスト曲がデュエット曲か否かを判断し、その判断結果が区別して視認可能なように、前記発光体の発光状態を制御するアンサーバック制御手段、
を備えるカラオケ装置。
【請求項４】
請求項３に記載のカラオケ装置において、
前記アンサーバック制御手段は、前記発光制御手段による前記デュエット曲演奏時に行う前記発光体の発光状態の制御に対応するよう、前記リクエスト曲受け付け完了時の前記発光体の発光状態の制御を実行する
カラオケ装置。
【請求項５】
請求項２〜４の何れかに記載のカラオケ装置において、
前記アンサーバック制御手段は、リクエスト曲が男女デュエット曲、男性デュエット曲、女性デュエット曲、又はそれら以外の曲のうち何れであるかを判断し、その判断結果が区別して視認可能なように、前記発光体の発光状態を制御する
カラオケ装置。
【請求項６】
請求項１〜５の何れかに記載のカラオケ装置において、
演奏時に歌詞テロップの表示制御を行う歌詞テロップ表示制御手段を備え、
前記歌詞テロップ表示制御手段は、デュエット曲の演奏時には、各歌唱者のための歌唱パートであることが区別可能なように表示を行う
カラオケ装置。
【発明の詳細な説明】
【０００１】
【発明の属する技術分野】
本発明は、カラオケ装置に関し、特にデュエット曲の演奏時における工夫に関する。
【０００２】
【従来の技術】
従来のカラオケ装置においては、例えば男女のデュエット曲の演奏をする場合、男性が歌うパートであるか、女性が歌うパートであるかを判別する手法としては、テレビ画面上に表示される歌詞テロップの先頭にマークを付加し、また歌詞テロップの色自体を変えることが一般的に知られている。例えば男性の歌唱パートの場合は、歌詞テロップの先頭に例えばスペードマークを付加して青色で色替えを行い、女性の歌唱パートの場合は、歌詞テロップの先頭に例えばハートマークを付加して赤色で色替えを行うことにより、それぞれの歌唱パートを明確にする、といった具合である。
【０００３】
なお、上述した歌詞テロップの先頭のマーク付加や色替えの色を男女で変えるといった内容は、カラオケ装置においては通常行われる一般的な動作であり、公知・公用の技術に該当するので、特に先行技術文献は開示しない。
【０００４】
【発明が解決しようとする課題】
しかしながら、昨今のカラオケ装置は、若年齢層から中高年齢層まで幅広く使われている。若年齢層は例えばカラオケボックスで楽しみ、中高年齢層になると例えばバー・スナックといった飲食店において楽しむといった機会が多い。カラオケボックスの場合は、カラオケ自体が主目的であるため、部屋も明るく歌詞テロップを表示するディスプレイも大型のものが使用される傾向にあるが、飲食店に設置される場合は、カラオケ自体が主目的とは言えず、むしろ店舗内の雰囲気を重視するため、部屋が暗く歌詞テロップを表示するディスプレイも小型のものが使用されることも多い。
【０００５】
そのため、デュエット曲を歌う場合に、自分がどの歌詞部分を歌えばよいのかを示している歌詞テロップ先頭のマーク等を十分に視認できない、といった問題も生じる。
そこで本発明は、このような問題点を鑑み、デュエット曲の歌唱パートがより明確に区別できるような工夫を提案することを第一の目的とする。
【０００６】
そしてさらに、カラオケ装置にはよりエンターテイメント性が求められている現実を踏まえ、ただ歌えるだけの装置から、楽しく歌うことができる装置へのステップアップにも寄与することを第二の目的とする。
【０００７】
【課題を解決するための手段及び発明の効果】
（１）本発明のカラオケ装置は、ＨＭＩ部を装置本体の正面側に備えている。なお、ＨＭＩ部としては、リクエスト曲の番号等を入力したり各種指示を入力したりするための操作ボタンや、入力したリクエスト曲の番号を表示したりするＬＥＤ等の表示部などが考えられる。
【０００８】
そして、この装置本体の正面側には発光状態を変更可能な発光体が設けられており、発光制御手段が、デュエット曲の演奏時には、各歌唱者のための歌唱パートの演奏中であることが区別可能なように発光体の発光状態を制御する。この発光状態としては、例えば発光色、発光位置、点灯・点滅・消灯などが考えられる。つまり、発光させる色を変えたり、発光させる位置を変えたり、点灯・点滅・消灯という状態によって、歌唱パートを区別するのである。当然ながら、これらを組み合わせても良い。なお、発光位置を変える場合には、例えば装置正面側の左右端（あるいは上下端）付近にそれぞれ発光体を備えるようにすれば、左右（あるいは上下）の何れにある発光体を発光させるかによって、たとえ同じ色を発光させたとしても十分に区別可能である。
【０００９】
そして、このような工夫をすることで、デュエット曲の歌唱パートがより明確に区別できるようになりガイダンス効果が発揮される。そして、装置本体における発光体の発光によって従来にはなかった演出効果が発揮され、ただ歌えるだけの装置から、楽しく歌うことができる装置へのステップアップにも寄与することとなる。
【００１０】
（２）請求項２に係るカラオケ装置は、ＨＭＩ部を装置本体の正面側に備えると共に、リクエスト曲を受け付け、その受け付けたリクエスト曲を演奏可能に構成されている。ＨＭＩ部については上述したので繰り返さない。
そして、この装置本体の正面側には発光状態を変更可能な発光体が設けられており、アンサーバック制御手段が、リクエスト曲の受け付けが完了すると、そのリクエスト曲がデュエット曲か否かを判断し、その判断結果が区別して視認可能なように、発光体の発光状態を制御する。この発光状態としては、上述したように、例えば発光色、発光位置、点灯・点滅・消灯などが考えられる。
【００１１】
このようにすれば、リクエスト曲が受け付けられたことをリクエスト操作をした者が確認できる。そして、デュエット曲か否かの区別ができるように発光体の発光状態が制御されるため、周囲に居る者にとっても、曲名は分からなくてもデュエット曲がリクエストされたかを知ることができる。このような演出効果も発揮するため、やはり、ただ歌えるだけの装置から、楽しく歌うことができる装置へのステップアップにも寄与することとなる。
【００１２】
（３）請求項３に係るカラオケ装置は、請求項１に係る発明の構成と請求項２に係る発明の構成を兼ね備えるものであり、ＨＭＩ部を装置本体の正面側に備えると共に、リクエスト曲を受け付け、その受け付けたリクエスト曲を演奏可能に構成され、さらに、発光制御手段とアンサーバック制御手段を備える。リクエスト曲の受け付けが完了すると、アンサーバック制御手段が、そのリクエスト曲がデュエット曲か否かを判断し、その判断結果が区別可能なように、発光体の発光状態を制御し、デュエット曲の演奏時には、発光制御手段が、各歌唱者のための歌唱パートの演奏中であることが区別可能なように発光体の発光状態を制御する。したがって、上述した請求項１及び２に係る発明にて発揮される効果を得ることができ、リクエスト受付時からデュエット曲演奏中まで演出効果が発揮される。当然ながら、デュエット曲の歌唱パートのガイダンス効果も発揮される。
【００１３】
なお、アンサーバック制御手段がリクエスト曲受け付け完了時の発光体の発光状態の制御を実行する場合、例えば請求項４に示すように、発光制御手段によるデュエット曲演奏時に行う発光体の発光状態の制御に対応するようにすることが考えられる。例えば男女デュエット曲のカラオケ演奏時に、男性の歌唱パートでは青色の発光体を点灯させ、女性の歌唱パートでは赤色の発光体を点灯させるのであれば、そのような男女デュエット曲のリクエスト受付完了時には、青色の発光体と赤色の発光体を同時に点灯させる、といった具合である。このようにリクエスト受付時の発光制御とカラオケ演奏時の発光制御を対応させることによって、歌唱者及び周囲の者にとっての利便性及び娯楽性の向上が図られる。
【００１４】
（４）また、請求項５に示すように、アンサーバック制御手段が、リクエスト曲が男女デュエット曲、男性デュエット曲、女性デュエット曲、又はそれら以外の曲のうち何れであるかを判断し、その判断結果が区別して視認可能なように発光体の発光状態を制御するようにしてもよい。このようにすれば、リクエスト曲が受け付けられた際、単にデュエット曲か否かだけでなく、どんな種類のデュエット曲がリクエストされたかまで知ることができる。
【００１５】
（５）なお、上述した発光体の発光制御によるガイダンス効果及び演出効果に加え、請求項５に示すように、演奏時に行う歌詞テロップの表示制御に際して、デュエット曲の演奏時には、各歌唱者のための歌唱パートであることが区別可能なように表示を行うようにすることが考えられる。このような、従来から行っている歌詞テロップにおける歌唱パートのガイダンス機能と合わせて実行することにより、デュエット曲の歌唱パートがより明確に区別できるようになる。
【００１６】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００１７】
図１は実施例のカラオケ装置１の概略構成を示しており、図２は装置本体の正面側の外観を模式的に示している。本実施例のカラオケ装置１は、カラオケ店舗に設置されており、例えばカラオケ店舗の各部屋にそれぞれ１台ずつ設置される。なお、これら複数台のカラオケ装置１は店舗内ネットワーク３０にて接続することによってネットワークシステムを構成している。そして、これら複数台のカラオケ装置１の内、何れか一つ（以上）のカラオケ装置１は、公衆回線を介して配信用ホスト装置５０に接続できるようになっており、この公衆回線４０を介して接続した配信用ホスト装置５０からカラオケに関する配信データ（音楽情報（曲データ）や画像情報、あるいは例えばカラオケ演奏処理を実行するためのアプリケーションプログラム（カラオケ演奏プログラム）等）を取得して、例えばハードディスク等の記憶装置１３へ記憶しておくことができる。そして、カラオケ装置１は、記憶装置１３に記憶されている配信データを、店舗内ネットワーク３０によって接続された他のカラオケ装置１へ送信することができる。そのため、公衆回線４０を介して配信用ホスト装置５０と接続する機能を持つカラオケ装置１がマスタ（親機）となり、他のカラオケ装置１がスレーブ（子機）となっている。
【００１８】
［カラオケ装置１の説明］
マスタまたはスレーブとして機能するカラオケ装置１の基本的な構成はいずれも同じであるが、上述のように、マスタのみが公衆回線４０を介して配信用ホスト装置５０に接続できるようになっている。それ以外の機能は基本的にいずれも同じである。したがって、以下の構成説明に関しては、図１に示す（マスタとして機能する）カラオケ装置１に関して行うこととする。
【００１９】
カラオケ装置１は、図１に示すように、カラオケ装置１を制御するための中央処理装置１１、ネットワークとしての店舗内ネットワーク３０を介して他のカラオケ装置（この場合はスレーブ）と接続したり、公衆回線４０を介して配信用ホスト装置５０と接続し、各種の情報を送受信する通信制御装置１２、各種データ等を記憶している記憶装置１３、曲の予約や電源のＯＮ・ＯＦＦなどを行うための操作パネル１４、操作パネル１４と同様に曲の予約等を行うためのリモコン送信機１５、リモコン送信機１５からの信号を受信するためのリモコン受信機１６、操作パネル１４やリモコン受信機１６からの信号を受け付けて処理する操作制御部１７、演奏の再生を行うシンセサイザ１８、音楽情報にかかる電気信号を増幅等するミキシングアンプ１９、ミキシングアンプ１９からの電気信号を入力して伴奏曲及び利用者の歌声等を流すスピーカ２０、利用者の歌声等をミキシングアンプ１９に入力するマイクロフォン２１、中央処理装置１１によって生成された歌詞情報を記憶するビデオＲＡＭ２２、画像情報等を再生する映像再生装置２３、ビデオＲＡＭ２２からの歌詞情報と映像再生装置２３からの映像信号とに基づき、歌詞及び歌詞の背景映像を出力する映像制御部２４、映像制御部２４から出力された歌詞及び歌詞の背景映像を表示する表示装置２５、リクエスト受付時のアンサーバックやデュエット曲演奏時に歌唱パートのガイダンスを行うための演出装置２７を備えている。また、このうちの中央処理装置１１には、通信制御装置１２、記憶装置１３、操作制御部１７、シンセサイザ１８、ビデオＲＡＭ２２、映像再生装置２３、映像制御部２４及び演出装置２７が接続されており、中央処理装置１１は、これらを介してカラオケ装置１を制御する。
【００２０】
続いて各部の具体的な構成を説明する。
［中央処理装置１１および記憶装置１３の構成］
まず、中央処理装置１１は、ＣＰＵ、ＲＯＭ、ＲＡＭなどを備える周知の構成である。一方、記憶装置１３は、中央処理装置１１がカラオケ装置１を制御するための各種プログラムを格納している。なお、カラオケ装置１の中央処理装置１１は、発光制御手段、アンサーバック制御手段及び歌詞テロップ表示制御手段に相当する。
【００２１】
［通信制御装置１２の構成］
通信制御装置１２は、店舗内ネットワーク３０を介してカラオケ店舗内の他の部屋に設置されたカラオケ装置（この場合はスレーブ）に接続されており、これら他のカラオケ装置（この場合はスレーブ）との間で各種の情報を送受信する。また、カラオケ装置１の通信制御装置１２は、上述したように、公衆回線４０を介して配信用ホスト装置５０と接続し、この配信用ホスト装置５０との間で各種の情報を送受信する。
【００２２】
［操作制御部１７、操作パネル１４、リモコン送受信機１５，１６の構成］
操作制御部１７には、操作パネル１４およびリモコン受信機１６が接続されている。このうち、操作パネル１４は、利用者がカラオケ曲の選択や演奏アレンジの切り替えを行ったりするためのものであり、図２（ａ）にその外観を模式的に示すように、各種操作ボタンや選曲番号等の表示のためのＬＥＤ等を備えている。なお、この操作パネル１４は装置本体の正面側に設けられており、「ＨＭＩ部」に相当する。利用者がこの操作パネル１４を操作すると、その入力操作の信号が操作制御部１７および中央処理装置１１に送られて処理される。一方、リモコン受信機１６は、リモコン送信機１５からの信号を受信するためのものである。また、このリモコン送信機１５は、操作パネル１４と同様に、利用者がカラオケ曲の選択や演奏アレンジの切り替えを行ったりするためのものである。利用者がこのリモコン送信機１５を操作すると、その入力操作の信号がリモコン受信機１６を介して操作制御部１７および中央処理装置１１に送られて処理される。
【００２３】
［演出装置２７の構成］
演出装置２７は、図２（ａ）にその外観を模式的に示すように、装置本体の正面側の左右両端付近に設けられている。つまり、装置本体の正面側には、中央付近に操作パネル１４が配置され、それを挟むように左右両端付近には演出装置２７が設けられている。この演出装置２７は、左右で同じ構成とされており、図２（ｂ）に示すように、複数個の発光ダイオード（ＬＥＤ）によって構成されている。本実施例では、図２（ｂ）に示すように、縦に並んだ４個のＬＥＤによって（左右それぞれの）演出装置２７が構成されており、上から順番に青・赤・青・赤の発光色となるように配置されている。なお、このＬＥＤが「発光体」に相当する。
【００２４】
そして、この演出装置２７は、中央処理装置１１からの指示により、ＬＥＤを個別に点灯・消灯させることができるようになっており、リクエストの受付時及びデュエット曲の演奏時において所定の演出効果を発揮する動作を行う。中央処理装置１１が行うこれらの演出効果のための制御（アンサーバック制御、デュエット曲演奏時制御）については、後で詳しく説明するが、これらの制御実行のために用いる曲データについて、ここで説明しておく。
【００２５】
曲データは、記憶装置１３に記憶され、図３に示すように、様々な情報が記録されている共通データ、タイトル表示のためのタイトルデータ、歌詞テロップ表示のための歌詞データ、演奏のためのＭＩＤＩデータを備えている。そして、これらのデータに加え、上述のアンサーバック制御やデュエット曲演奏時制御のために、本実施例では演出データを付加した。
【００２６】
曲データ中のタイトルデータ、歌詞データ及びＭＩＤＩデータについては、カラオケ演奏を行うためのデータとして従来から公知のデータであるため、特に詳しい説明はしない。
一方、共通データ中には、従来からの公知のデータとしての曲番号及び曲名に加え、曲分類及びデュエット種別が格納されている。この内、曲分類とは非デュエット曲かデュエット曲かという分類であり、デュエット種別とは、例えば男女デュエット曲、男性（男男）デュエット曲、女性（女女）デュエット曲という種別である。
【００２７】
また、演出データ内には、案内データの件数（ｎ件）が記載されたヘッダー情報、さらに、どのタイミングで、どちらのパート演奏が始まるかを記載した、案内データが複数（案内データ１〜ｎ）記録されている。また、案内データには、ＭＩＤＩ演奏に対応した同期データとしてのステップ値と、歌唱パートの種別（以下、単にパート種別と称す。）が格納されている。このパート種別は、上述したデュエット種別で説明した男女デュエット曲、男性（男男）デュエット曲、女性（女女）デュエット曲において生じ得る６つの種別、すなわち、男性１パート、女性１パート、男性２パート、女性２パート、男女パート、男男パート、女女パートである。つまり、男女デュエット曲の場合は、男性１パート、女性１パート、男女パートの何れかが存在し、男性（男男）デュエット曲の場合は、男性１パート、男性２パート、男男パートの何れかが存在し、女性（女女）デュエット曲の場合は、女性１パート、女性２パート、女女パートの何れかが存在する。
【００２８】
［その他の構成］
また、シンセサイザ１８には、ミキシングアンプ１９が接続され、このミキシングアンプ１９にはスピーカ２０が接続されている。中央処理装置１１により記憶装置１３から読み出された曲データのＭＩＤＩデータに基づいてシンセサイザ１８から出力される楽音信号は、ミキシングアンプ１９で増幅されてスピーカ２０から出力される。またこのシンセサイザ１８から出力される楽音信号はミキシングアンプ１９で増幅されてスピーカ２０から出力される。また、ミキシングアンプ１９には利用者の歌唱音声を入力するためのマイクロフォン２１が接続されており、このマイクロフォン２１によって入力された音声信号もシンセサイザ１８からの楽音信号と共にスピーカ２０から出力される。
【００２９】
また、映像制御部２４には、ビデオＲＡＭ２２、映像再生装置２３および表示装置２５が接続されており、これらビデオＲＡＭ２２や映像再生装置２３から出力される映像信号と歌詞情報に基づき、歌詞及び歌詞の背景映像を出力して表示装置２５に表示させる。
【００３０】
以上のように構成されているカラオケ装置１においては、利用者が、表示装置２５に表示される歌詞を参照しながら、スピーカ２０より流れる演奏にあわせて、マイクロフォン２１を使って歌を歌うことができる、つまりカラオケを楽しむことができるようになっている。なお、上述のように、スレーブとして機能するカラオケ装置１は、公衆回線４０を介して配信用ホスト装置５０に接続する機能を有さないだけで他の構成は基本的にマスタとして機能するカラオケ装置１と同じであるため、マスタのカラオケ装置１同様、利用者がカラオケを楽しむことができる。
【００３１】
［配信用ホスト装置５０について］
また、カラオケ装置１は、上述のように、配信用ホスト装置５０に公衆回線４０を介してアクセス可能である。この配信用ホスト装置５０は、カラオケ装置１に対して、最新の流行曲等の曲データを発信したり、どのような曲が何回演奏されたかといったログデータを含む関連情報をカラオケ装置１から受信したりして管理することができるようになっている。さらに、配信用ホスト装置５０は、データベースを備えており、このデータベースに楽曲演奏に使用する配信データとしての音楽情報や背景画または歌詞等の画像情報等を記憶している。また、配信用ホスト装置５０は、コンテンツデータ以外にバージョンアップされたシステムプログラム等をデータベースに記憶し、そのデータベースから随時読み出してカラオケ装置１に対して発信することができるようになっている。
【００３２】
［リクエスト受付時の処理説明］
次に、上述のカラオケ装置１において実行される、リクエスト受付時の演出効果について説明する。本実施例では、リクエストを受け付けた場合、受け付けたことをユーザ（この場合はカラオケを楽しむ者であり、歌唱者やその周囲に居る者を指す。）に周知させるため、アンサーバック制御を実行して演出装置２７のＬＥＤを点灯させる。このアンサーバックの内容が曲の種別によって異なるのである。
【００３３】
それでは、図４のフローチャートを参照して予約受付時の処理について説明する。
操作パネル１４を介して入力、あるいはリモコン送信機１５から送信された選曲番号をリモコン受信機１６にて受信、という形で利用者からの選曲番号の入力がなされると（Ｓ１０）、その選曲番号に対応する曲データが記憶装置１３内に存在するか否か判断する（Ｓ２０）。そして、該当曲が存在しない場合は（Ｓ３０：いいえ）、曲がないこと（したがって選曲が不可能であること）を表示装置２５に表示して利用者に通知し（Ｓ４０）、本予約受付時処理を終了する。
【００３４】
一方、該当曲が存在する場合は（Ｓ３０：はい）、Ｓ５０へ移行し、左側の演出装置２７の青ＬＥＤ及び赤ＬＥＤ、右側の演出装置２７の青ＬＥＤ及び赤ＬＥＤを全て消灯する。そして、予約曲として中央処理装置１１内のＲＡＭに記憶し（Ｓ６０）、Ｓ７０〜Ｓ１４０のアンサーバック制御を実行する。
【００３５】
まず、受け付けた曲がデュエット曲であるか否かを判断する（Ｓ６０）。この判断は、図３に示す曲データ中の共通データに格納されている曲分類に基づいて行う。そして、デュエット曲であれば（Ｓ７０：はい）、そのデュエット種別を判断する（Ｓ８０）。この判断は、図３に示す曲データ中の共通データに格納されているデュエット種別に基づいて行う。そして、男性（男男）デュエットである場合にはＳ９０へ移行し、男女デュエットである場合はＳ１００へ移行し、女性（女女）デュエットの場合にはＳ１１０へ移行する。
【００３６】
男性デュエットの場合に移行するＳ９０では、左右の演出装置２７の青色ＬＥＤのみを点灯し、赤色ＬＥＤは消灯する。また、男女デュエットの場合に移行するＳ１００では、左の演出装置２７では青色ＬＥＤのみを点灯して赤色ＬＥＤは消灯し、一方、右の演出装置２７では赤色ＬＥＤのみを点灯して青色ＬＥＤは消灯する。また、女性デュエットの場合に移行するＳ１１０では、左右の演出装置２７の赤色ＬＥＤのみを点灯し、青色ＬＥＤは消灯する。
【００３７】
なお、デュエット曲ではない場合は（Ｓ７０：いいえ）、左右の演出装置２７において青色ＬＥＤ及び赤色ＬＥＤを共に点灯する（Ｓ１２０）。つまり、全てのＬＥＤを点灯する。
これらＳ９０〜Ｓ１２０の処理の後は、何れもＳ１３０へ移行し、本実施例では０．５秒待機する。その後、左右の演出装置２７において青色ＬＥＤ及び赤色ＬＥＤを共に消灯して（Ｓ１４０）、本受付時処理を終了する。
【００３８】
［カラオケ曲演奏時の処理説明］
次に、カラオケ曲演奏時において実行される演出効果について説明する。
図５のフローチャートは、カラオケ曲演奏時のメイン処理を示しており、予約されている曲の内、次に演奏すべき曲の曲データを記憶装置１３から読み出す（Ｓ２１０）。そして、その読み出した曲データに対応する（つまり、その曲の演奏にふさわしい）背景映像を選択する（Ｓ２２０）。この背景映像選択に関しては、公知の技術を採用すればよいので、特にここで詳しい説明はしない。
【００３９】
次に、演出前処理を実行する（Ｓ２３０）。この演出前処理は、図６のフローチャートに示すように、まず、案内処理済カウンタを初期化し（Ｓ２３１）、曲データ中の演出データのヘッダー情報（図３参照）を読み込む（Ｓ２３２）。そして、そのヘッダー情報中の案内データ件数に基づいて、案内データが存在するか否か、すなわち案内データ件数がゼロ（零）であるかどうかを判断する（Ｓ２３３）。
【００４０】
案内データが存在しない場合、すなわち案内データ件数がゼロの場合には（Ｓ２３３：いいえ）、そのまま本処理を終了して図５のＳ２４０へ移行するが、案内データが存在する場合には（Ｓ２３３：はい）、左右の演出装置２７を消灯してから（Ｓ２３４）、本演出前処理を終了して図５のＳ２４０へ移行する。
【００４１】
図５のＳ２４０では、タイトル画を表示、続くＳ２５０では、ＭＩＤＩデータ再生、背景映像表示、歌詞テロップ表示、演出表示を開始し、実際のカラオケ演奏が始まる。そして、カラオケ演奏が終了するまで、背景映像、歌詞テロップ、演出の各表示を続ける。演奏が終了すると（Ｓ２６０：はい）、図５の処理を終了する。
【００４２】
それでは、図５のＳ２５０にて開始される演出表示処理の詳細について図７のフローチャートを参照して説明する。
演出表示処理が開始すると、まず、案内処理済件数が、演出前処理（図６）で既に読み込み済みの案内データ件数よりも少ないか否かを判断し（Ｓ３０１）、案内処理済件数が案内データ件数以上の場合（Ｓ３０１：いいえ）、何もせずに、そのまま、本処理を一旦終了し、図５のＳ２６０にて演奏終了と判断されるまでは、この図７の処理を繰り返し実行する。
【００４３】
一方、案内処理済件数が案内データ件数未満の場合（Ｓ３０１：はい）、案内データを１件読み込み（Ｓ３０２）、その読み込んだ案内データのステップ値と、現在演奏している曲のステップ値を比較する（Ｓ３０３）。そして、両ステップ値が等しくない場合には、そのまま、本処理を一旦終了する。
【００４４】
これに対して、案内データのステップ値と現在演奏している曲のステップ値が等しい場合には、既に読み込み済み（図６のＳ２３２参照）の曲データ中の演出データのヘッダー情報（図３参照）に基づきデュエット種別を判断する（Ｓ３０４）。そして、男女デュエットの場合にはＳ３０５〜Ｓ３０８の処理を実行し、男性（男男）デュエットの場合にはＳ３０９〜Ｓ３１２の処理を実行し、女性（女女）デュエットの場合にはＳ３１３〜Ｓ３１６の処理を実行する。すなわち、演奏曲の進行に同期して左右の演出装置２７の表示処理が実行される。
【００４５】
まず、男女デュエットの場合に実行するＳ３０５〜Ｓ３０８の処理について説明する。Ｓ３０５では、Ｓ３０３で読み込んだ案内データ中のパート種別（図３参照）によって分岐し、女１パートであればＳ３０６へ移行し、男女パートであればＳ３０７へ移行し、男１パートであればＳ３０８へ移行する。
【００４６】
女１パートの場合に移行するＳ３０６では、左右の演出装置２７の青色ＬＥＤは消灯し、赤色ＬＥＤのみを点灯する。図８（ａ）には、その場合の演出装置２７の状態を、表示装置２５に表示される歌詞テロップの状態と共に示した。この場合の歌詞テロップの先頭には、女性の歌唱パートであることを示す記号「○」が付されている。そして、この歌詞部分についての色替えは赤色で行われる。
【００４７】
また、男１パートの場合に移行するＳ３０８では、左右の演出装置２７の青色ＬＥＤは消灯し、赤色ＬＥＤのみを点灯する。図８（ｂ）には、その場合の演出装置２７の状態を、表示装置２５に表示される歌詞テロップの状態と共に示した。この場合の歌詞テロップの先頭には、女性の歌唱パートであることを示す記号「□」が付されている。そして、この歌詞部分についての色替えは青色で行われる。
【００４８】
また、男女パートの場合に移行するＳ３０７では、左右の演出装置２７の青色ＬＥＤと赤色ＬＥＤを共に点灯する。図８（ｃ）には、その場合の演出装置２７の状態を、表示装置２５に表示される歌詞テロップの状態と共に示した。この場合の歌詞テロップの先頭には、女性の歌唱パートであることを示す記号「○」及び男性の歌唱パートであることを示す記号「□」が共に付されている。そして、この歌詞部分についての色替えは、例えば紫色で行ったり、あるいは上半分を赤色、下半分を青色というように２色で行われる。
【００４９】
次に、男性（男男）デュエットの場合に実行するＳ３０９〜Ｓ３１２の処理について説明する。Ｓ３０９では、Ｓ３０３で読み込んだ案内データ中のパート種別（図３参照）によって分岐し、男１パートであればＳ３１０へ移行し、男男パートであればＳ３１１へ移行し、男２パートであればＳ３１２へ移行する。
【００５０】
男１パートの場合に移行するＳ３１０では、左の演出装置２７の青色ＬＥＤのみを点灯する。つまり、左の演出装置２７については青色ＬＥＤのみを点灯して赤色ＬＥＤは消灯し、右の演出装置２７については青色ＬＥＤ及び赤色ＬＥＤを共に消灯する。
【００５１】
また、男男パートの場合に移行するＳ３１１では、左右の演出装置２７の青色ＬＥＤのみを点灯する。つまり、左右の演出装置２７それぞれにおいて、青色ＬＥＤのみを点灯して赤色ＬＥＤは消灯する。
男２パートの場合に移行するＳ３１２では、右の演出装置２７の青色ＬＥＤのみを点灯する。つまり、右の演出装置２７については青色ＬＥＤのみを点灯して赤色ＬＥＤは消灯し、左の演出装置２７については青色ＬＥＤ及び赤色ＬＥＤを共に消灯する。
【００５２】
次に、女性（女女）デュエットの場合に実行するＳ３１３〜Ｓ３１６の処理について説明する。Ｓ３１３では、Ｓ３０３で読み込んだ案内データ中のパート種別（図３参照）によって分岐し、女１パートであればＳ３１４へ移行し、女女パートであればＳ３１５へ移行し、女２パートであればＳ３１６へ移行する。
【００５３】
女１パートの場合に移行するＳ３１３では、左の演出装置２７の赤色ＬＥＤのみを点灯する。つまり、左の演出装置２７については赤色ＬＥＤのみを点灯して青色ＬＥＤは消灯し、右の演出装置２７については青色ＬＥＤ及び赤色ＬＥＤを共に消灯する。
【００５４】
また、女女パートの場合に移行するＳ３１５では、左右の演出装置２７の赤色ＬＥＤのみを点灯する。つまり、左右の演出装置２７それぞれにおいて、赤色ＬＥＤのみを点灯して青色ＬＥＤは消灯する。
女２パートの場合に移行するＳ３１６では、右の演出装置２７の赤色ＬＥＤのみを点灯する。つまり、右の演出装置２７については赤色ＬＥＤのみを点灯して青色ＬＥＤは消灯し、左の演出装置２７については青色ＬＥＤ及び赤色ＬＥＤを共に消灯する。
【００５５】
上述したＳ３０６〜Ｓ３０８、Ｓ３１０〜Ｓ３１２、Ｓ３１４〜Ｓ３１６の各処理の実行後は、Ｓ３１７へ移行して案内処理済カウンタを１加算した後、本処理を一旦終了する。
なお、図４のステップＳ７０〜Ｓ１４０の処理がアンサーバック制御手段の処理に相当し、図５のステップＳ２３０及びＳ２５０における演出表示の処理が発光制御手段の処理に相当する。また、図５のステップＳ２５０における歌詞テロップ表示が歌詞テロップ表示制御手段の処理に相当する。
【００５６】
このように、本実施例のカラオケ装置１によれば次のような効果が得られる。（ａ）まず、リクエスト曲を受け付けた際には演出装置２７のＬＥＤが発光するため、リクエストをした者はリクエストが受け付けられたことを確認できる。そして、男女デュエット曲、男性デュエット曲、女性デュエット曲、デュエット曲以外の曲の区別ができるようにＬＥＤの発光状態が制御されるため、周囲に居る者にとっても、曲名は分からなくてもどんな種類のデュエット曲がリクエストされたかを知ることができる。
【００５７】
また、デュエット曲の演奏時には、各歌唱者のための歌唱パートの演奏中であることが区別可能なように演出装置２７のＬＥＤの発光状態が制御されるため、デュエット曲の歌唱パートがより明確に区別できるようになりガイダンス効果が発揮される。
【００５８】
そして、このようなリクエスト受付時及びデュエット演奏時において演出装置２７のＬＥＤの発光によって従来にはなかった演出効果が発揮され、ただ歌えるだけの装置から、楽しく歌うことができる装置へのステップアップにも寄与することとなる。
【００５９】
（ｂ）また、本実施例では、アンサーバック制御時の演出装置２７におけるＬＥＤの発光状態と、デュエット曲演奏時の演出装置２７におけるＬＥＤの発光状態とが対応するようにされている。例えば男女デュエット曲がリクエストされた場合のアンサーバックは、図４のＳ１００を参照して説明したように、左の演出装置２７では青色ＬＥＤのみを点灯して赤色ＬＥＤは消灯し、一方、右の演出装置２７では赤色ＬＥＤのみを点灯して青色ＬＥＤは消灯する。これに対して男女デュエット曲の演奏時は、図６のＳ３０６〜Ｓ３０８及び図８を参照して説明したように、女１パートの場合には左右の演出装置２７の青色ＬＥＤは消灯し、赤色ＬＥＤのみを点灯し（図８（ａ）参照）、男１パートの場合には左右の演出装置２７の青色ＬＥＤは消灯し、赤色ＬＥＤのみを点灯し（図８（ｂ）参照）、男女パートの場合に移行は左右の演出装置２７の青色ＬＥＤと赤色ＬＥＤを共に点灯する（図８（ｃ）参照）。このようにリクエスト受付時とデュエット曲演奏時での発光状態が対応していれば、歌唱者及び周囲の者にとっての利便性及び娯楽性の向上が図られる。
【００６０】
（ｃ）また、本実施例では、演出装置２７のＬＥＤの発光制御によるガイダンス効果及び演出効果に加え、従来から公知の、表示装置２５における歌詞テロップの表示制御を実行している。つまり、デュエット曲の演奏時には、各歌唱者のための歌唱パートであることが区別可能なように表示を行っている（図８参照）。このような歌詞テロップにおける歌唱パートのガイダンス機能と合わせて演出装置２７によるガイダンス機能も実行することにより、デュエット曲の歌唱パートがより明確に区別できるようになる。
【００６１】
［その他の実施例］
（１）上記実施例では、図２（ａ）に示すように、演出装置２７がカラオケ装置１の装置本体の正面側の左右両端付近に設けられていたが、この配置に関しては、種々変更が可能である。例えば上下両端付近に設けたり、左右上下端付近にそれぞれ設けたり、あるいは片側の端部付近にのみ設けたり、さらに装置本体の中央付近に設けることも可能である。但し、操作パネル１４等のＨＭＩ部はその機能から装置本体正面側の中央付近に設けることが好ましいので、それを避けた場所に配置することが、現実的ではある。
【００６２】
また、ＬＥＤの配置や数に関しても、種々考えられる。例えば上記実施例では縦に並んだ４つのＬＥＤとしたが、数をもっと多くしてもよいし、２列に配置してもよい。さらに、ＬＥＤの色に関しても２色ではなく３色以上であってもよいし、逆に１色であっても、その点灯位置を変えれば、区別が付く。
【００６３】
そして、発光制御に関しても、点灯・消灯だけでなく、点滅（つまり点灯と消灯の繰り返し）を採用しても良い。
（２）上記実施例では、デュエット曲として、男女・男男・女女という何れの場合も歌唱者が２人（２組）の場合を想定したが、例えば３人以上の歌唱者がそれぞれの歌唱パートを歌うような曲であっても対応できる。その場合には、例えばＬＥＤを３色設けるなどすれば、区別が容易になる。
【図面の簡単な説明】
【図１】実施例のカラオケ装置の概略構成を示すブロック図である。
【図２】実施例のカラオケ装置本体及び演出装置の外観を示す模式図である。
【図３】曲データの構成を示す説明図である。
【図４】カラオケ装置にて実行される予約受付時処理を示すフローチャートである。
【図５】カラオケ装置にて実行されるカラオケ曲演奏時の処理を示すフローチャートである。
【図６】図５のＳ２３０にて実行される演出前処理を示すフローチャートである。
【図７】図５のＳ２５０にて実行される演出表示処理を示すフローチャートである。
【図８】男女デュエット曲演奏時の表示装置への歌詞テロップの表示例及び演出装置におけるＬＥＤの発光例を示す説明図である。
【符号の説明】
１…カラオケ装置、１０…ネットワークシステム、１１…中央処理装置、１２…通信制御装置、１３…記憶装置、１４…操作パネル、１５…リモコン送信機、１６…リモコン受信機、１７…操作制御部、１８…シンセサイザ、１９…ミキシングアンプ、２０…スピーカ、２１…マイクロフォン、２２…ビデオＲＡＭ、２３…映像再生装置、２４…映像制御部、２５…表示装置、２７…演出装置、３０…店舗内ネットワーク、４０…公衆回線、５０…配信用ホスト装置。
【図１】
2004272115.tif 000003
【図２】
2004272115.tif 000004
【図３】
2004272115.tif 000005
【図４】
2004272115.tif 000006
【図５】
2004272115.tif 000007
【図６】
2004272115.tif 000008
【図７】
2004272115.tif 000009
【図８】
2004272115.tif 000010